(57)【要約】【課題】補強のための新たな部品を追加することなく、ジャックコネクタとジャックコネクタ基板との半田割れを防止する。【解決手段】外装カバーの上側を形成する上カバーと前記外装カバーの下側を形成する下カバーとプラグ挿入部と前記プラグ挿入部を囲うように形成された略直方体のハウジングから構成されたジャックコネクタと、前記ジャックコネクタを実装する基板とを備えた電気機器において、前記基板は、前記電子機器の水平方向に対して、プラグ挿入部の挿入方向を中心として所定の角度傾けた状態で保持され、前記上カバーには前記ハウジングの上部に位置する２面を囲う凹部を備えた凸部が形成され、前記下カバーには前記ハウジングの下部に位置する２面を囲う凹部を備えた凸部が形成されている。【選択図】  図６
2015138069.tif 000002
【特許請求の範囲】
【請求項１】
外装カバーの上側を形成する上カバーと前記外装カバーの下側を形成する下カバーと
プラグ挿入部と前記プラグ挿入部を囲うように形成された略直方体のハウジングから構成されたジャックコネクタと、
前記ジャックコネクタを実装する基板とを備えた電気機器において、
前記基板は、前記電子機器の水平方向に対して、
プラグ挿入部の挿入方向を中心として所定の角度傾けた状態で保持され、
前記上カバーには前記ハウジングの上部に位置する２面を囲う凹部を備えた凸部が形成され、前記下カバーには前記ハウジングの下部に位置する２面を囲う凹部を備えた凸部が形成されていることを特徴とする電子機器。
【請求項２】
前記下カバ―の前記凹部は、前記基板に形成された開口部を通して前記ハウジングの下部に位置する１面もしくは２面を囲うことを特徴とする請求項1に記載の電子機器。
【請求項３】
前記下カバ―の前記凹部は、前記基板を介して前記ハウジングの下部に位置する１面を囲うことを特徴とする請求項1に記載の電子機器。
【請求項４】
前記上カバ―の前記凹部もしくは前記下カバ―の前記凹部は、前記ハウジングの角部及びその近傍のみを囲うことを特徴とする請求項１乃至請求項３の何れか１項に記載の電子機器。
【発明の詳細な説明】
【技術分野】
【０００１】
本発明は、プラグが挿抜されるジャックコネクタを備えた電子機器に関するものである。
【背景技術】
【０００２】
プラグが挿抜されるジャックコネクタをプリント基板上に実装して、ジャックコネクタのプラグ挿入口が外装部材に形成した穴から露出するように、電子機器内部にプリント基板を配置することが知られている。
【０００３】
また、このような電子機器では、プラグの挿抜によってジャックコネクタにかかるストレスによって、ジャックコネクタとプリント基板との半田付けが割れてしまうという問題がある。この問題に対して、ジャックコネクタの周囲を補強部材で覆うことで、ジャックコネクタとプリント基板との半田割れを防止することが知られている（特許文献１参照）。
【先行技術文献】
【特許文献】
【０００４】
【特許文献１】特開２００２−７５５５９号公報
【発明の概要】
【発明が解決しようとする課題】
【０００５】
しかしながら、上述の特許文献１ではジャックコネクタの周囲を覆うための補強部材を新たに設けなくてはならず、電子機器の小型化が進んだ今日では、このような補強部材を配置するスペースを確保できないという課題がある。
【０００６】
本発明の目的は、このような課題に鑑みて、電気機器を大型化することなく、ジャックコネクタとジャックコネクタ基板との半田割れを防止することにある。
【課題を解決するための手段】
【０００７】
上述した目的を達成するために、
外装カバーの上側を形成する上カバーと前記外装カバーの下側を形成する下カバーと
プラグ挿入部と前記プラグ挿入部を囲うように形成された略直方体のハウジングから構成されたジャックコネクタと、
前記ジャックコネクタを実装する基板とを備えた電気機器において、
前記基板は、前記電子機器の水平方向に対して、
プラグ挿入部の挿入方向を中心として所定の角度傾けた状態で保持され、
前記上カバーには前記ハウジングの上部に位置する２面を囲う凹部を備えた凸部が形成され、前記下カバーには前記ハウジングの下部に位置する２面を囲う凹部を備えた凸部が形成されている。
【発明の効果】
【０００８】
本発明によれば、電気機器を大型化することなく、ジャックコネクタとジャックコネクタ基板との半田割れを防止することが可能となる。
【図面の簡単な説明】
【０００９】
【図１】本発明に関る実施の形態のビデオカメラを表す斜視図である。
【図２】本発明に関る実施の形態のビデオカメラを表す斜視図である。
【図３】図１に示す各ジャックコネクタ１１１を含むハンドル２０２の内部構造を説明する分解斜視図である。
【図４】ジャックコネクタ基板の斜視図である。
【図５】マイク入力ジャックコネクタ１１１にプラグを挿入した状態を挿入口側から見た斜視図である。
【図６】図１に示すマイク入力ジャックコネクタ１１１の内部構造を説明する直線Ａによる断面図である。
【発明を実施するための形態】
【００１０】
本発明の実施の形態を図に基づき説明する。
【００１１】
図１、図２は、本発明に関る実施の形態のビデオカメラを表す斜視図である。１０１は被写体の撮影を行うことが可能な撮影光学系で、本実施の形態において、本実施の形態では、撮影光学系の被写体側を前側と定義する。また、被写体に向かって正対した撮影者における右を、製品の右側と定義する。図１は本発明に関る実施の形態のビデオカメラを右斜め方向から見た斜視図であり、図２は本発明に関る実施の形態のビデオカメラを左斜め方向から見た斜視図である。図２に示す本実施例のビデオカメラ本体の左側には、開閉可能に設けられた液晶表示装置２０１が設けられている。本発明に関る実施の形態のビデオカメラは、液晶表示装置２０１が開いた状態にて、撮像光学系１０１によって撮影された被写体の映像を確認しながら撮影を行うことが出来る。
【００１２】
図1、図２に示すように、ビデオカメラ本体の上部には、輸送時や、撮影時に把持を行うハンドル２０２が、撮像光学系１０１の光軸１０１ａ方向に延在して配置されている。ハンドル２０２上面には撮影の開始、終了の制御を行うトリガーキー２０３と、撮像光学系１０１のズーム倍率などを変更するズームキー２０４が配設されている。
【００１３】
ハンドル２０２の前方は、ハンドル中央部２０６の把持部より大きく形成され、被写体の集音用マイク１０９（左右に配置された集音用マイク１０９ａ、１０９ｂ）などが配設されるオーディオ部２０５となっている。特にマイクは、本実施例のビデオカメラでは、撮影時に出来るだけ被写体に近い位置となるように、オーディオ部２０５の前面であり、撮像光学系１０１の光入射面２０７より前面に突出させた位置に配置している。
【００１４】
また、オーディオ部２０５の右側には、遠くの音声を集音できる高性能マイクを接続するための、外部接続コネクタ１１０として、ＸＬＲ型のコネクタ１１０ａ、１１０ｂ、マイク入力ジャックコネクタ１１１が、オーディオ部の側面に光軸方向に並べて配設されている。
【００１５】
図３は、図１に示す各ジャックコネクタ１１１を含むハンドル２０２の内部構造を説明する分解斜視図である。
【００１６】
図４は、ジャックコネクタ基板の斜視図である。
【００１７】
図３、図４に示すように、マイク入力ジャックコネクタ１１１はプラグ挿入部１１１ａとプラグ挿入部１１１ａを囲うように形成された略直方体形状のハウジング１１１ｂから構成され、ジャックコネクタ基板１１２に実装されている。ジャックコネクタ基板１１２には、被写体の集音用マイク１０９、ＸＬＲ型のコネクタ１１０ａ、１１０ｂやマイク入力ジャックコネクタ１１１から入力された音データについて、信号の増幅やミックスを行うために有する基板１１３と電気的に接続するコネクタ１１４ａ、本体側のメイン集積回路と電気的に接続するコネクタ１１４ｂが実装されている。本実施例のように、オーディオ関係の制御をオーディオ部２０５に含まれる基板及び回路により行われ、本体部にオーディオ情報の提供が可能となる。
【００１８】
ジャックコネクタ基板１１２は、リジット基板で構成されており、オーディオ部２０５の箱形状に沿うように撮像光学系１０１の水平に対し所定の角度α（図６に記載）だけ傾けて折り曲げられ、ハンドルボトムカバー９０１に固定される板金１１５の斜面に固定される。
【００１９】
ジャックコネクタ基板１１２の下方には、オーディオ部２０５の箱形状の下方を構成するハンドルボトムカバー９０１が配置され、ジャックコネクタ基板１１２の上方には、オーディオ部２０５の箱形状の上方を構成するハンドルトップカバー９０２が配置されている。
【００２０】
図５は、マイク入力ジャックコネクタ１１１にプラグを挿入した状態を挿入口側から見た斜視図である。図５に示すようにマイク入力ジャックコネクタ１１１にプラグ９０３が挿抜される際には、上下左右方向の力が加えられることになる。
【００２１】
図６は、図１に示すマイク入力ジャックコネクタ１１１の内部構造を説明する直線Ａによる断面図である。図６に示すように、マイク入力ジャックコネクタ１１１の上方にはハンドルトップカバー９０２から突出する凸部９０２ａが形成されている。凸部９０２ａはマイク入力ジャックコネクタ１１１のハウジング１１１ｂの上部に位置する２面を囲う凹部９０２ｂが形成されている。マイク入力ジャックコネクタ１１１の下方にはハンドルボトムカバー９０１から突出する凸部９０１aが形成されている。凸部９０１ａはマイク入力ジャックコネクタ１１１のハウジング１１１ｂの下部に位置する２面を囲う凹部９０１ｂが形成されている。ハンドルボトムカバー９０１の凹部９０１ｂは、ジャックコネクタ基板１１２に形成された開口部１１２aを通して、ハウジング１１１ｂの下部に位置する２面のうち１面を囲い、また他の１面をジャックコネクタ基板１１２を介して囲うように構成されている。
【００２２】
上記構成により、図５に示すようにプラグ９０３に上下左右方向の力を与えて、マイク入力ジャックコネクタ１１１が動いたとしても、ジャックコネクタ基板１１２のマイク入力ジャックコネクタ１１１は、凹部９０１ｂ、９０２ｂに当節して停止することとなる。よって、プラグ９０３による外力が与えられたとしてもマイク入力ジャックコネクタ１１１とジャックコネクタ基板１１２との接続部である半田に割れが起こることを防止することが可能となる。
【００２３】
本実施例のビデオカメラのように、マイク入力ジャックコネクタ１１１を撮像光学系１０１の水平に対し所定の角度αだけ傾けて配置することにより、外部接続コネクタ１１０として、ＸＬＲ型のコネクタ１１０ａとマイク入力ジャックコネクタ１１１を、光軸方向に並べて配設する距離３０１（図６に記載）を小さくする事が出来る。
【００２４】
また、マイク入力ジャックコネクタ１１１の上部に位置する２面を囲う凸部９０２ａを形成する上カバーとマイク入力ジャックコネクタ１１１の下部に位置する２面を囲う凸部９０１ａの凹部９０１ｂを形成する下カバーとを構成することにより、補強部材を新たに設けることなく、マイク入力ジャックコネクタ１１１の幅１１１ｃ（図４参照）よりも小さいコネクタ受け構造が可能となり、電気機器の小型化を図ることが出来る。
【符号の説明】
【００２５】
１０１‥‥撮影光学系
１０1ａ‥‥光軸
１０９‥‥集音用マイク（内臓マイク）
１１０‥‥外部接続コネクタ
１１０ａ、１１０ｂ‥‥ＸＬＲ型のコネクタ
１１１‥‥マイク入力ジャックコネクタ
１１1ａ‥‥プラグ挿入部
１１１ｂ‥‥ハウジング
１１２‥‥ジャックコネクタ基板
１１２a‥‥開口部
１１３‥基板
１１４ａ、１１４ｂ‥‥コネクタ
１１５‥‥板金
１２０‥‥プラグ挿入部
２０１‥‥液晶表示装置
２０２‥‥ハンドル
２０３‥‥トリガーキー
２０４‥‥ズームキー
２０５‥‥オーディオ部
８０１ａ、８０１ｂ‥‥スイッチ群
８０２‥‥オーディオカバー
９０１‥‥ハンドルボトムカバー
９０１a ‥‥凸部
９０１ｂ‥‥凹部
９０２‥‥ハンドルトップカバー
９０２a ‥‥凸部
９０２ｂ‥‥凹部
１２０３ａ‥‥板バネ部
１４０１‥‥孔
１４０１ａ‥‥カム
１４０２‥‥ピン形状
１４０３‥‥爪引っ掛け部
１５０１‥‥フタロック爪
１７０１‥‥シャフト
【図１】
2015138069.tif 000003
【図２】
2015138069.tif 000004
【図３】
2015138069.tif 000005
【図４】
2015138069.tif 000006
【図５】
2015138069.tif 000007
【図６】
2015138069.tif 000008